(57)【要約】【課題】本体を保護できると共に美観を維持できる爪の手入れ器具、および爪の手入れ器具を保護できると共に爪の手入れ器具の美観を維持できるカバー体を提供する。【解決手段】爪の手入れ器具１は、器具本体１Ａと、カバー体５とを備えている。カバー体５は、平板状の第１の挟持片６と、平板状の第２の挟持片７を有する。第２の挟持片７は、第１の挟持片６の一方の長手縁部に、接続部９を介して所定の力で折り曲げ可能に接続されている。第２の挟持片７の一方の面と、この一方の面に対向する他方の面との間を貫通する貫通孔８が形成されている。貫通孔８が形成された領域以外の領域は、光を透過しない光不透過領域である。カバー体５は、平板状の側面保護片１０を有する。側面保護片１０は、第２の挟持片７の、接続部９と接続した長手縁部とは反対側の長手縁部に接続されている。【選択図】図１
2015139494.tif 000002
【特許請求の範囲】
【請求項１】
基体と、該基体の少なくとも一方の側に形成されると共に、研磨粒子を含むバッファ層と、該バッファ層の、前記基体に面した側とは反対側に印刷して形成された印刷層とを有する器具本体と、
第１の挟持片と、該第１の挟持片の少なくとも一部に接続された、かつ、同第１の挟持片と対向する位置に配置されて同第１の挟持片との間に前記器具本体を収納可能な空間を形成する、かつ、光を透過可能な領域である所定形状の光透過領域を含む第２の挟持片とを有するカバー体とを備える
爪の手入れ器具。
【請求項２】
前記光透過領域は、光を透過可能な素材で構成された
請求項１に記載の爪の手入れ器具。
【請求項３】
前記光透過領域に位置する前記第２の挟持片の一方の面と、同一方の面に対向する他方の面との間を貫通する貫通孔が形成された
請求項１に記載の爪の手入れ器具。
【請求項４】
前記第２の挟持片は、前記第１の挟持片の少なくとも一部に所定の力で折り曲げ可能に接続された
請求項１、請求項２または請求項３に記載の爪の手入れ器具。
【請求項５】
第１の挟持片と、
該第１の挟持片の少なくとも一部に接続された、かつ、同第１の挟持片と対向する位置に配置されて同第１の挟持片との間に空間を形成する、かつ、光を透過可能な領域である所定形状の光透過領域を有する第２の挟持片とを備える
カバー体。
【発明の詳細な説明】
【技術分野】
【０００１】
本発明は爪の手入れ器具およびカバー体に関する。詳しくは、爪を研磨したり、爪の艶を出したりするときに用いられる爪の手入れ器具、および爪の手入れ器具のためのカバー体に係るものである。
【背景技術】
【０００２】
爪の表面を美しくするために、エナメル液を爪の表面に塗布する方法がある。
【０００３】
また、エナメル液は、ニトロセルロースを、酢酸エチル、酢酸ブチル、メチルエチルケトン、トルエン、キシレンなどの溶剤で溶解して得られた液であるので、爪の表面に塗布されたエナメル液を除去する除去液も、必然的にこれら溶剤を主成分とする。
【０００４】
しかし、このような溶剤を含むエナメル液や除去液の使用頻度が高くなると、爪を構成する主要たんぱくの角質またはケラチンが酸化されやすくなり、結果的に爪が脆弱になったり、変色しやすくなったりして、爪の健康上、好ましくなかった。
【０００５】
そこで、このようなエナメル液を使用しない乾式方法が提案されており、例えば、特許文献１には、図７に示すような爪の手入れ器具が記載されている。
【０００６】
すなわち、特許文献１に記載された爪の手入れ器具は、芯材１１０と、芯材１１０の両面に付着された発砲ポリウレタン等からなる接触部材（１２０Ａ、１２０Ｂ）と、接着部を介して接触部材（１２０Ａ、１２０Ｂ）上に付着された研磨部１４０と、研磨部１４０上に形成された印刷部１６０とを備える。また、研磨部１４０は、異なる粒径を有する研磨材からなる副研磨部（１４１、１４３）からなる。
【先行技術文献】
【特許文献】
【０００７】
【特許文献１】特開２０１０−１５５９８８号公報
【発明の概要】
【発明が解決しようとする課題】
【０００８】
ところで、所有者が爪の手入れ器具をカバンなどに入れて持ち運ぶときに、爪の手入れ器具の例えば研磨部が、カバンに入れられた他の所有物に当たって他の所有物を傷つけてしまうことが懸念されていた。
【０００９】
また、逆に、爪の手入れ器具の印刷部が、他の所有物に当たって汚されてしまうことも懸念されていた。
そこで、爪の手入れ器具をケースに入れて、爪の手入れ器具を保護することが考えられる。
【００１０】
しかしながら、爪の手入れ器具は多様な絵柄などが印刷された印刷部を備えているので、ケースが印刷部の絵柄などを隠して爪の手入れ器具の美観を損ねてしまうことは避けたいという要望が生じることも考えられる。
【００１１】
本発明は、以上の点に鑑みて創案されたものであり、本体を保護できると共に美観を維持できる爪の手入れ器具、および爪の手入れ器具を保護できると共に爪の手入れ器具の美観を維持できるカバー体を提供することを目的とする。
【課題を解決するための手段】
【００１２】
上記の目的を達成するために、本発明の爪の手入れ器具は、基体と、該基体の少なくとも一方の側に形成されると共に、研磨粒子を含むバッファ層と、該バッファ層の、前記基体に面した側とは反対側に印刷して形成された印刷層とを有する器具本体と、第１の挟持片と、該第１の挟持片の少なくとも一部に接続された、かつ、同第１の挟持片と対向する位置に配置されて同第１の挟持片との間に前記器具本体を収納可能な空間を形成する、かつ、光を透過可能な領域である所定形状の光透過領域を含む第２の挟持片とを有するカバー体とを備える。
【００１３】
ここで、第１の挟持片と、第１の挟持片の少なくとも一部に接続された、かつ、第１の挟持片と対向する位置に配置されて第１の挟持片との間に器具本体を収納可能な空間を形成する第２の挟持片とを有するカバー体によって、第１の挟持片と第２の挟持片との間に器具本体を挟むことができる。
【００１４】
また、光を透過可能な領域である所定形状の光透過領域を含む第２の挟持片を有するカバー体によって、第１の挟持片と第２の挟持片とに挟まれた器具本体を、第２の挟持片を通して視認することができる。
【００１５】
また、本発明の爪の手入れ器具において、光透過領域は、光を透過可能な素材で構成されたものとすることができる。
【００１６】
この場合、外部からの第２の挟持片を通しての器具本体への接触を抑制しながら、この器具本体を視認できる。
【００１７】
また、本発明の爪の手入れ器具において、光透過領域に位置する第２の挟持片の一方の面と、この一方の面に対向する他方の面との間を貫通する貫通孔が形成されたものとすることができる。
【００１８】
この場合、第１の挟持片と第２の挟持片との間に器具本体を挟んだまま、貫通孔を通して器具本体を使用することができる。
【００１９】
また、本発明の爪の手入れ器具において、第２の挟持片は、第１の挟持片の少なくとも一部に所定の力で折り曲げ可能に接続されたものとすることができる。
【００２０】
この場合、第１の挟持片と第２の挟持片との間の距離を変えやすい。
【００２１】
また、上記の目的を達成するために、本発明のカバー体は、第１の挟持片と、該第１の挟持片の少なくとも一部に接続された、かつ、同第１の挟持片と対向する位置に配置されて同第１の挟持片との間に空間を形成する、かつ、光を透過可能な領域である所定形状の光透過領域を有する第２の挟持片とを備える。
【００２２】
ここで、第１の挟持片と、第１の挟持片の少なくとも一部に接続された、かつ、第１の挟持片と対向する位置に配置されて第１の挟持片との間に空間を形成する第２の挟持片とによって、第１の挟持片と第２の挟持片との間に物体を挟むことができる。
【００２３】
また、光を透過可能な領域である所定形状の光透過領域を有する第２の挟持片によって、第１の挟持片と第２の挟持片とに挟まれた物体を、第２の挟持片を通して視認することができる。
【発明の効果】
【００２４】
本発明に係る爪の手入れ器具は、本体を保護できると共に美観を維持できる。
本発明に係るカバー体は、爪の手入れ器具を保護できると共に爪の手入れ器具の美観を維持できる。
【図面の簡単な説明】
【００２５】
【図１】一方側の印刷層がカバー体の第２の挟持片と同じ方向に向けられた器具本体をカバー体が挟む前の状態の本発明を適用した爪の手入れ器具の一例を示す概略図である。
【図２】図１に示した器具本体をカバー体が挟んだ状態の本発明を適用した爪の手入れ器具の一例を示す概略図である。
【図３】図１のＡ−Ａ線に沿った概略断面図である。
【図４】図１に示した本発明を適用した爪の手入れ器具の器具本体の概略分解断面図である。
【図５】図１に示した印刷層の反対側の印刷層がカバー体の第２の挟持片と同じ方向に向けられた器具本体をカバー体が挟む前の状態の本発明を適用した爪の手入れ器具の一例を示す概略図である。
【図６】図５に示した器具本体をカバー体が挟んだ状態の本発明を適用した爪の手入れ器具の一例を示す概略図である。
【図７】本発明を適用したカバー体の第１の変形例を示す概略図である。
【図８】本発明を適用したカバー体の第２の変形例を示す概略図である。
【図９】本発明を適用したカバー体の第３の変形例を示す概略図である。
【図１０】従来の爪の手入れ器具を示す概略図である。
【発明を実施するための形態】
【００２６】
以下、本発明の実施の形態について図面を参照しながら説明し、本発明の理解に供する。
図１は、一方側の印刷層がカバー体の第２の挟持片と同じ方向に向けられた器具本体をカバー体が挟む前の状態の本発明を適用した爪の手入れ器具の一例を示す概略図である。
また、図２は、図１に示した器具本体をカバー体が挟んだ状態の本発明を適用した爪の手入れ器具の一例を示す概略図である。
【００２７】
また、図３は、図１のＡ−Ａ線に沿った概略断面図である。
また、図４は、図１に示した本発明を適用した爪の手入れ器具の器具本体の概略分解断面図である。
【００２８】
また、図５は、図１に示した印刷層の反対側の印刷層がカバー体の第２の挟持片と同じ方向に向けられた器具本体をカバー体が挟む前の状態の本発明を適用した爪の手入れ器具の一例を示す概略図である。
また、図６は、図５に示した器具本体をカバー体が挟んだ状態の本発明を適用した爪の手入れ器具の一例を示す概略図である。
【００２９】
図１に示す本発明の爪の手入れ器具１は、器具本体１Ａと、カバー体５とを備えている。
【００３０】
また、カバー体５は、平板状の第１の挟持片６を有する。
また、カバー体５は、平板状の第２の挟持片７を有する。
【００３１】
また、第２の挟持片７は、第１の挟持片６の少なくとも一部に、平板状の接続部９を介して所定の力で折り曲げ可能に接続されている。
すなわち、第２の挟持片７は、第１の挟持片６の一方の長手縁部に、接続部９を介して所定の力で折り曲げ可能に接続されている。
【００３２】
また、本発明で言う「所定の力」とは、例えば通常のボール紙を折り曲げるときに必要な力程度の力を意味する。
【００３３】
また、第２の挟持片７は、第１の挟持片６から一定の距離ほど離れて第１の挟持片６と対向する位置に配置されて第１の挟持片６との間に器具本体１Ａを収納可能な空間を形成する。
また、第２の挟持片７の一方の面と、この一方の面に対向する他方の面との間を貫通する貫通孔８が形成されている。
【００３４】
ここで、貫通孔８は一定の形状を有しており、点在して形成されている。
また、貫通孔８が形成された領域は光を透過するので光透過領域である。
【００３５】
そして、一定の形状を有する貫通孔８が形成された領域以外の領域も、一定の形状を有している。
図１に示す例では、貫通孔８が形成された領域以外の領域は、隆起した場所に動物が登っている様子を示す形状を有している。
また、貫通孔８が形成された領域以外の領域は、光を透過しない光不透過領域である。
【００３６】
また、カバー体５は、平板状の側面保護片１０を有する。
ここで、側面保護片１０は、第２の挟持片７の、接続部９と接続した長手縁部とは反対側の長手縁部に接続されている。
そして、図３に示すように、側面保護片１０は、接続部９から一定の距離ほど離れて接続部９と対向する位置に配置されている。
【００３７】
すなわち、カバー体５には、第１の挟持片６と、第２の挟持片７と、接続部９と、側面保護片１０とに囲まれた収納空間が形成されている。
また、このようなカバー体５の両側すなわち、第１の挟持片６の両方の短手縁部側あるいは第２の挟持片７の両方の短手縁部側は開口しており、収納空間はこの開口部を介して外部と連通している。
【００３８】
従って、開口部を通して、収納空間に外部から器具本体１Ａを収納したり、収納空間から外部へ器具本体１Ａを取出したりすることができる。
【００３９】
また、器具本体１Ａは、印刷して形成された第１の印刷層４Ａを有している。また、第１の印刷層４Ａの印刷された絵柄は、図１に示すように、太陽である。
【００４０】
また、第１の印刷層４Ａがカバー体５の第２の挟持片７と同じ方向に向けられた器具本体１Ａを、カバー体５の第１の挟持片６と第２の挟持片７で挟む。
すなわち、第１の印刷層４Ａがカバー体５の第２の挟持片７と同じ方向に向けられた器具本体１Ａを、カバー体５の収納空間に収納する。
【００４１】
また、第２の挟持片７には貫通孔８が形成されているので、図２に示すように、第２の挟持片７の貫通孔８を通じて、器具本体１Ａの第１の印刷層４Ａの絵柄である太陽を視認できる。
【００４２】
また、図１に示すように、第１の挟持片６と接続部９との間、および第２の挟持片７と接続部９との間には、一定長さの切れ込み１１が形成されている。
また、図示していないが、第２の挟持片７と側面保護片１０との間にも、一定長さの切れ込みが形成されている。
【００４３】
ここで、切れ込み１１は、接続部９の両短手縁部から長手方向に沿って形成されている。
また、図示していないが、側面保護片１０の両短手縁部から長手方向に沿って切れ込みが形成されている。
【００４４】
また、接続部９の、切れ込み１１に挟まれた領域や、切れ込みに沿った側面保護片１０の領域は、外側すなわち開口部とは反対側へ折り曲げられることが可能である。
従って、接続部９の、切れ込み１１に挟まれた領域や、切れ込みに沿った側面保護片１０の領域を外側へ折り曲げることで、収納空間への器具本体１Ａの収納や、収納空間からの器具本体１Ａの取出しが容易となる。
【００４５】
ここで、必ずしも第２の挟持片の一方の面と、この一方の面に対向する他方の面との間を貫通する貫通孔が形成されていなくてもよい。
【００４６】
しかし、貫通孔が形成されていれば、第１の挟持片と第２の挟持片との間に器具本体を挟んだまま、貫通孔を通して器具本体を使用することができるので好ましい。
すなわち、貫通孔の大きさにもよるが、貫通孔に指を入れて爪を磨くことができる。
【００４７】
また、貫通孔が形成される代わりに、例えば、光透過領域は、アクリル樹脂など透明性の高い素材で構成されていてもよい。
【００４８】
この場合、例えばアクリル樹脂で製造されたカバー体の第２の挟持片を着色して、着色された領域以外の領域を光透過領域とすることができる。
また、例えば貫通孔の周囲にアクリル樹脂製のシートを取付けて、貫通孔にアクリル樹脂製のシートを配置することもできる。
【００４９】
このように光透過領域が、光を透過可能な素材で構成されることによって、外部からの第２の挟持片を通しての器具本体への接触を抑制しながら、この器具本体を視認できる。
【００５０】
また、第２の挟持片は、必ずしも接続部を介して第１の挟持片の少なくとも一部に接続されていなくてもよく、第１の挟持片の少なくとも一部に直接接続されていてもよい。
【００５１】
また、第２の挟持片は、必ずしも第１の挟持片の少なくとも一部に所定の力で折り曲げ可能に接続されていなくてもよい。
例えば、所定の力では折り曲げられないほど固く、第１の挟持片の少なくとも一部と第２の挟持片とが接続した金属製のカバー体であるものとすることができる。
【００５２】
しかし、第２の挟持片が、第１の挟持片の少なくとも一部に所定の力で折り曲げ可能に接続されていれば、第１の挟持片と第２の挟持片との間の距離を変えやすくなり、収納空間への器具本体の収納や、収納空間からの器具本体の取出しが容易となるので好ましい。
【００５３】
また、第２の挟持片が、第１の挟持片の少なくとも一部に所定の力で折り曲げ可能に接続されていれば、例えば販売時にカバー体を平板状にしておくことができる。
【００５４】
次に、器具本体の構成を詳しく説明する。
【００５５】
図４に示すように、器具本体１Ａは、平板状の基体２を有する。
また、基体２は、発泡ポリウレタン（ポリウレタンフォーム）、発泡ポリエチレン（ポリエチレンフォーム）、エチレン酢酸ビニルコポリマー（ＥＶＡ）、ポリスチレンなどの合成樹脂で構成されている。
また、基体２は柔軟性を有する。
【００５６】
また、器具本体１Ａは、基体２の両方の面にそれぞれ接着剤で固着されると共に、研磨粒子を含むバッファ層３を有する。
【００５７】
ここで、基体２の一方の面には、２０〜８０μｍの粒径を有する第１の研磨粒子を含む第１のバッファ層３Ａが固着され、基体２の他方の面には、１〜１０μｍの粒径を有する第２の研磨粒子を含む第２のバッファ層３Ｂが固着されている。
【００５８】
また、バッファ層３（第１のバッファ層３Ａと第２のバッファ層３Ｂ）に含まれる研磨粒子は、例えば、酸化アルミニウム（アルミナ）、酸化クロム、酸化セリウム、カーボンランダム、珪藻土、ダイヤモンド、セラミック類、炭化ケイ素である。
【００５９】
また、研磨粒子の粒径は特に限定されないが、例えば、０．３〜５０μｍ、さらに、１〜５０μｍ、さらに、１〜１０μｍ、さらに、３〜５μｍ、さらに、１〜２μｍの範囲が挙げられる。
【００６０】
また、研磨粒子を固着する接着剤は、酢酸ビニル、アクリル、ウレタン、スチレン、エチレンなどの柔軟な合成樹脂である。
【００６１】
また、本発明において、「研磨粒子を含むバッファ層」とは、例えば、「研磨粒子のみで構成されたバッファ層」、「繊維もしくは樹脂を有し、研磨粒子が繊維もしくは樹脂に含浸したバッファ層」、「繊維もしくは樹脂を有し、少なくとも繊維もしくは樹脂の表面に研磨粒子が固着したバッファ層」である。
【００６２】
また、ここで言う「繊維」とは、例えばシルク繊維、ポリエステル繊維、不織布が挙げられ、「樹脂」とは、例えばポリエステル樹脂が挙げられる。
【００６３】
また、バッファ層が研磨粒子を含んでいれば、バッファ層の態様はどのようなものでもよい。
例えば、「研磨粒子を含んだ樹脂組成物が含浸したシルク繊維を有するシルク繊維層」、「研磨粒子が混ぜられた、シルク繊維以外の繊維を有する繊維層」、「研磨粒子を含んだ樹脂組成物が含浸した、シルク繊維以外の繊維を有する繊維層」、「研磨粒子が少なくとも表面に固着したポリエステル樹脂を有するポリエステル樹脂層」、「研磨粒子が少なくとも表面に固着した、ポリエステル以外の樹脂を有する樹脂層」をバッファ層とすることができる。
【００６４】
さらに、器具本体１Ａは、バッファ層３の、基体２に面した側とは反対側に印刷して形成された印刷層４を有する。
【００６５】
ここで、器具本体１Ａは、第１のバッファ層３Ａの、基体２に面した側とは反対側に、インクを用いて、０．００５〜１ｍｍのノズル直径を有するインクジェットプリンタで印刷して形成された第１の印刷層４Ａを有する。
【００６６】
また、器具本体１Ａは、第２のバッファ層３Ｂの、基体２に面した側とは反対側に、インクを用いて、０．００５〜１ｍｍのノズル直径を有するインクジェットプリンタで印刷して形成された第２の印刷層４Ｂを有する。
【００６７】
また、第２の印刷層４Ｂの印刷された絵柄は、図５に示すように、月である。
【００６８】
また、第２の印刷層４Ｂがカバー体５の第２の挟持片７と同じ方向に向けられた器具本体１Ａをカバー体５の第１の挟持片６と第２の挟持片７で挟む。
すなわち、第２の印刷層４Ｂがカバー体５の第２の挟持片７と同じ方向に向けられた器具本体１Ａをカバー体５の収納空間に収納する。
【００６９】
また、第２の挟持片７には貫通孔８が形成されているので、図６に示すように、第２の挟持片７の貫通孔８を通じて、器具本体１Ａの第２の印刷層４Ｂの絵柄である月を視認できる。
【００７０】
ここで、基体の両方の側に印刷層が形成された例を説明したが、必ずしも基体の両方の側に印刷層が形成されていなくてもよく、一方の側だけに印刷層が形成されていてもよいことは勿論である。
【００７１】
また、必ずしも基体の一方の面には、２０〜８０μｍの粒径を有する第１の研磨粒子を含む第１のバッファ層が固着されていなくてもよく、また、必ずしも基体の他方の面には、１〜１０μｍの粒径を有する第２の研磨粒子を含む第２のバッファ層が固着されていなくてもよい。
【００７２】
しかし、第１のバッファ層と第２のバッファ層が固着されていれば、第１のバッファ層を用いて爪を削り、第２のバッファ層を用いて爪を磨くことができるので、多様な爪の手入れを実施でき、好ましい。
【００７３】
また、印刷層の印刷された絵柄について説明したが、文字が印刷されていてもよいことは勿論である。
また、様々な絵柄もしくは文字を印刷できることは勿論である。
【００７４】
また、本発明のカバー体の変形例について説明する。
図７は、本発明を適用したカバー体の第１の変形例を示す概略図である。
【００７５】
図７に示すカバー体５の第２の挟持片７は、第１の挟持片６の両方の長手縁部に、平板状の接続部９を介して所定の力で折り曲げ可能に接続されている。
【００７６】
また、第１の挟持片６の略中央部には、第１の挟持片６の一方の短手縁部から他方の短手縁部にわたってスリット６Ａが形成されている。
【００７７】
また、図７に示す貫通孔８が形成された領域以外の領域の形状は、図１に示す貫通孔８が形成された領域以外の領域の形状とは異なる。
また、図７に示す器具本体１Ａの、印刷して形成された印刷層４の絵柄は、図１や図５に示す絵柄とは異なる。
【００７８】
また、第２の挟持片７は、第１の挟持片６から一定の距離ほど離れて第１の挟持片６と対向する位置に配置されて第１の挟持片６との間に器具本体１Ａを収納可能な空間を形成している。
すなわち、図７に示すカバー体５には、第１の挟持片６と、第２の挟持片７と、接続部９とに囲まれた収納空間が形成されている。
【００７９】
また、図８は、本発明を適用したカバー体の第２の変形例を示す概略図である。
図８に示すカバー体５の第１の挟持片６の両方の長手縁部に、第１の挟持片６に対して略垂直に、平板状の接続部９が接続されている。
また、図８に示すカバー体５の第２の挟持片７の両方の長手縁部に、第２の挟持片７に対して略垂直に、平板状の接続部９が接続されている。
【００８０】
また、第１の挟持片６の両方の長手縁部に接続された接続部９の一端側と、この一端側に対応する、第２の挟持片７の両方の長手縁部に接続された接続部９の一端側とが接続ピン９Ａで接続されている。
そして、第２の挟持片７は、第１の挟持片６との接続箇所である接続ピン９Ａを中心に揺動可能すなわち、スイング可能である。
【００８１】
また、第２の挟持片７の一方の短手縁部に、第２の挟持片７に対して略垂直に側面保護片１０が接続されている。
【００８２】
また、図８に示す貫通孔８が形成された領域以外の領域の形状は、図１に示す貫通孔８が形成された領域以外の領域の形状とは異なる。
【００８３】
また、図８に示す状態から、第２の挟持片７を、接続ピン９Ａを中心に第１の挟持片６へ向けて揺動させて、第１の挟持片６から一定の距離ほど離れて第１の挟持片６と対向する位置に配置させることができる。
このとき、第１の挟持片６と第２の挟持片７との間に、器具本体を収納可能な空間が形成される。
【００８４】
また、図９は、本発明を適用したカバー体の第３の変形例を示す概略図である。
図９に示すカバー体５の第２の挟持片７は、第１の挟持片６の一方の長手縁部に、平板状の接続部９を介して接続されている。
【００８５】
また、図９に示す第２の挟持片７の、接続部９と接続した長手縁部とは反対側の長手縁部には、側面保護片は接続されていない。
また、図９に示す第１の挟持片６の両方の短手縁部および図９に示す第２の挟持片７の両方の短手縁部にも、側面保護片は接続されていない。
【００８６】
また、図９に示す貫通孔８が形成された領域以外の領域の形状は、図１に示す貫通孔８が形成された領域以外の領域の形状とは異なる。
また、図９に示す器具本体１Ａの、印刷して形成された印刷層４の絵柄は、図１や図５に示す絵柄とは異なる。
【００８７】
また、図９に示す第２の挟持片７は、第１の挟持片６から一定の距離ほど離れて第１の挟持片６と対向する位置に配置されて第１の挟持片６との間に器具本体１Ａを収納可能な空間を形成している。
すなわち、図９に示すカバー体５には、第１の挟持片６と、第２の挟持片７と、接続部９とに囲まれた収納空間が形成されている。
【００８８】
また、図９に示す第１の挟持片６の両方の短手縁部と第２の挟持片の両方の短手縁部との間は開口している。
また、図９に示す第１の挟持片６の、接続部９に接続した長手縁部とは反対側の長手縁部と、第２の挟持片７の、接続部９に接続した長手縁部とは反対側の長手縁部との間も開口している。
【００８９】
従って、収納空間はこれら開口部を介して外部と連通している。
【００９０】
また、図９に示す器具本体１Ａの印刷層４の面積と、図９に示す第１の挟持片６および第２の挟持片７それぞれの面積とは略同じである。
また、図９に示す器具本体１Ａが収納空間に収納されたときに器具本体１Ａの角部に対応する第１の挟持片６および第２の挟持片７それぞれの一部と、器具本体１Ａのその角部とが、接合ピン１２を用いて接合されている。
【００９１】
そして、第１の挟持片６および第２の挟持片７、すなわちカバー体５は接合ピン１２を中心に揺動可能である。
【００９２】
以上のように、本発明の爪の手入れ器具は、第１の挟持片と、第１の挟持片の少なくとも一部に接続された、かつ、第１の挟持片と対向する位置に配置されて第１の挟持片との間に器具本体を収納可能な空間を形成する第２の挟持片とを有するカバー体を備えるので、第１の挟持片と第２の挟持片との間に器具本体を挟むことができる。
【００９３】
また、本発明の爪の手入れ器具は、光を透過可能な領域である所定形状の光透過領域を含む第２の挟持片を有するカバー体を備えるので、第１の挟持片と第２の挟持片とに挟まれた器具本体を、第２の挟持片を通して視認することができる。
【００９４】
従って、本発明の爪の手入れ器具は、本体を保護できると共に美観を維持できる。
すなわち、器具本体とカバー体とが重なって、１つのデザインを表現することができる。
【００９５】
また、本発明のカバー体も、第１の挟持片と、第１の挟持片の少なくとも一部に接続された、かつ、第１の挟持片と対向する位置に配置されて第１の挟持片との間に空間を形成する、かつ、光を透過可能な領域である所定形状の光透過領域を有する第２の挟持片とを備えるので、第１の挟持片と第２の挟持片との間に物体を挟むことができ、また、第１の挟持片と第２の挟持片とに挟まれた物体を、第２の挟持片を通して視認することができる。
【００９６】
従って、本発明のカバー体は、爪の手入れ器具を保護できると共に爪の手入れ器具の美観を維持できる。
【符号の説明】
【００９７】
１    爪の手入れ器具
１Ａ  器具本体
２    基体
３    バッファ層
３Ａ  第１のバッファ層
３Ｂ  第２のバッファ層
４    印刷層
４Ａ  第１の印刷層
４Ｂ  第２の印刷層
５    カバー体
６    第１の挟持片
６Ａ  スリット
７    第２の挟持片
８    貫通孔
９    接続部
９Ａ  接続ピン
１０    側面保護片
１１    切れ込み
１２    接合ピン
【図１】
2015139494.tif 000003
【図２】
2015139494.tif 000004
【図３】
2015139494.tif 000005
【図４】
2015139494.tif 000006
【図５】
2015139494.tif 000007
【図６】
2015139494.tif 000008
【図７】
2015139494.tif 000009
【図８】
2015139494.tif 000010
【図９】
2015139494.tif 000011
【図１０】
2015139494.tif 000012